(57)【要約】【課題】無線回線における通信品質の劣化を迅速に検出することができるデータ中継装置及びデータ中継方法を提供すること。【解決手段】本発明にかかる中継装置１０は、通信装置３０から送信されたデータを、無線回線２０２を介して接続された対向中継装置２０へ送信する中継装置である。中継装置１０は、対向中継装置２０との間において送受信される制御フレームを用いて無線回線２０２の無線品質の劣化を検出する劣化検出部１１と、劣化検出部１１において無線品質の劣化が検出された場合、無線回線２０２を閉塞し通信経路を切り替える回線制御部１２と、を備えるものである。【選択図】図１
2013251795.tif 000002
【特許請求の範囲】
【請求項１】
通信装置から送信されたデータを、無線回線を介して接続された対向中継装置へ送信する中継装置であって、
前記対向中継装置との間において送受信される制御フレームを用いて前記無線回線の無線品質の劣化を検出する劣化検出部と、
前記劣化検出部において無線品質の劣化が検出された場合、前記無線回線を閉塞し通信経路を切り替える回線制御部と、を備える中継装置。
【請求項２】
前記劣化検出部は、
前記制御フレームを前記対向中継装置へ送信し、所定時間内に応答制御フレームを受信したか否かに基づいて判定される接続性障害と、前記制御フレームを前記対向中継装置へ送信し、前記対向中継装置から応答される前記応答制御フレームを受信するまでの時間に基づいて判定される遅延障害と、前記制御フレームを前記対向中継装置へ一定周期の間隔で繰り返し送信し、前記対向中継装置から送信されるロス測定応答に基づいて判定されるロス超過障害とのうち少なくとも１つの障害が発生した場合に、前記無線回線の無線品質の劣化を検出する、請求項１に記載の中継装置。
【請求項３】
前記通信装置から送信されたデータを、第１の有線回線を介して接続された第１の中継装置と前記対向中継装置とへ振り分けて送信する第１のスイッチ部をさらに備え、
前記回線制御部は、
前記劣化検出部において無線品質の劣化が検出された場合、前記無線回線を閉塞し、全てのデータを前記第１の中継装置へ送信する、請求項１又は２に記載の中継装置。
【請求項４】
前記通信装置から高優先データと低優先データとが送信され、前記劣化検出部において前記遅延障害及び前記ロス超過障害のいずれか一方の障害が検出された場合、
前記回線制御部は、
前記高優先データを前記第１の中継装置へ送信し、前記低優先データを前記対向中継装置へ送信する、請求項３に記載の中継装置。
【請求項５】
前記通信装置から送信されるデータを、第２の有線回線を介して接続された第２の中継装置から受信し、前記受信したデータを前記対向中継装置へ送信する第２のスイッチ部をさらに備え、
前記回線制御部は、
前記劣化検出部において無線品質の劣化が検出された場合、前記無線回線と前記第２の有線回線とを閉塞する、請求項１又は２に記載の中継装置。
【請求項６】
前記通信装置から高優先データと低優先データとが送信され、前記劣化検出部において前記遅延障害及び前記ロス超過障害とのいずれか一方の障害が検出された場合、
前記回線制御部は、
前記高優先データを前記第２の中継装置から受信しないように制御し、前記低優先データを前記第２の中継装置から受信し、前記受信したデータを前記対向中継装置へ送信させるように制御する、請求項５に記載の中継装置。
【請求項７】
前記通信装置から送信されるデータを、第３の有線回線を介して接続された第３の中継装置から受信し、前記受信したデータを第４の有線回線を介して接続された第４の中継装置と前記無線回線を介して接続された前記対向中継装置とへ振り分けて送信する第３のスイッチ部をさらに備え、
前記回線制御部は、
前記劣化検出部において無線品質の劣化が検出された場合、前記無線回線を閉塞し、全てのデータを前記第４の中継装置へ送信する、請求項１又は２に記載の中継装置。
【請求項８】
前記第４の有線回線が閉塞されている状態において前記劣化検出部において無線品質の劣化が検出された場合、前記無線回線及び前記第３の有線回線を閉塞する請求項７に記載の中継装置。
【請求項９】
前記通信装置から高優先データと低優先データとが送信され、前記劣化検出部において前記遅延障害及び前記ロス超過障害とのいずれか一方の障害が検出された場合、
前記回線制御部は、
前記高優先データを前記第４の中継装置へ送信し、前記低優先データを前記対向中継装置へ送信するように制御する、請求項７に記載の中継装置。
【請求項１０】
通信装置から送信されるデータを無線回線を介して接続された対向中継装置へ送信するデータ中継方法であって、
前記対向中継装置との間において送受信される制御フレームに基づいて前記無線回線の無線品質の劣化を検出し、
前記無線品質の劣化が検出された場合、前記無線回線を閉塞し通信経路を切り替えるデータ中継方法。
【発明の詳細な説明】
【技術分野】
【０００１】
本発明は中継装置に関し、特に無線回線を介してデータを中継する中継装置に関する。
【背景技術】
【０００２】
通信装置間に一対のメディアコンバータ等のネットワーク中継装置を配置して、通信装置間のデータ送受信を行う場合がある。このような構成において、通信装置間のリンクに障害が発生した場合、リンクロスフォワーディングという機能を用いて、適切な迂回経路の設定等が行われる。リンクロスフォワーディングとは、例えば、一方のメディアコンバータにおいてリンク切断等の障害が検出された場合、他方のメディアコンバータに対して障害発生が通知され、通信装置間のリンクを強制的に切断する機能である。
【０００３】
引用文献１には、対向配置したネットワーク中継装置を多段接続する構成において、リンクロスフォワーディングを用いることが記載されている。具体的には、対向配置されているネットワーク中継装置間は、装置間インタフェースを介して接続されている。このような構成においてリンクロスフォワーディングが実行された場合にデッドロック状態が発生することを回避する制御内容が開示されている。
【先行技術文献】
【特許文献】
【０００４】
【特許文献１】特開２０１１−００４３０５号公報
【発明の概要】
【発明が解決しようとする課題】
【０００５】
引用文献１に開示されているネットワーク構成において、対向配置されているネットワーク中継装置を接続する装置間インタフェースとして無線回線が用いられる場合がある。このような場合、一般的に通信帯域を用いて無線回線の通信品質が判断される。具体的には、利用可能な通信帯域が無くなったことをリンクダウンと定義して、ネットワーク中継装置は、リンクダウンを検出していた。しかし、通信帯域を用いて無線回線の通信品質を判断する手法においては、段階的に通信帯域が小さくなっていった場合において、リンクダウンと判断されるまでの検出時間が大きくなるという問題がある。
【０００６】
本発明は、このような問題を解決するために、無線回線における通信品質の劣化を迅速に検出することができる中継装置及びデータ中継方法を提供することを目的とする。
【課題を解決するための手段】
【０００７】
本発明の第１の態様にかかる中継装置は、通信装置から送信されたデータを、無線回線を介して接続された対向中継装置へ送信する中継装置であって、前記対向中継装置との間において送受信される制御フレームを用いて前記無線回線の無線品質の劣化を検出する劣化検出部と、前記劣化検出部において無線品質の劣化が検出された場合、前記無線回線を閉塞し通信経路を切り替える回線制御部と、を備えるものである。
【０００８】
本発明の第２の態様にかかるデータ中継方法は、通信装置から送信されるデータを無線回線を介して接続された対向中継装置へ送信するデータ中継方法であって、前記対向中継装置との間において送受信される制御フレームに基づいて前記無線回線の無線品質の劣化を検出し、前記無線品質の劣化が検出された場合、前記無線回線を閉塞し通信経路を切り替えるものである。
【発明の効果】
【０００９】
本発明により、無線回線における通信品質の劣化を迅速に検出することができる中継装置及びデータ中継方法を提供することができる。
【図面の簡単な説明】
【００１０】
【図１】実施の形態１にかかる通信システムの構成図である。
【図２】実施の形態１にかかる通信システムの構成図である。
【図３】実施の形態１にかかるネットワーク中継装置の構成図である。
【図４】実施の形態１にかかる無線回線に障害が発生した場合の通信システムの動作を説明する図である。
【図５】実施の形態１にかかる無線回線に障害が発生した場合の通信システムの動作を説明する図である。
【図６】実施の形態１にかかる無線回線が復旧した場合の通信システムの動作を説明する図である。
【図７】実施の形態１にかかる無線回線が復旧した場合の通信システムの動作を説明する図である。
【図８】実施の形態１にかかる無線回線に障害が発生した場合のネットワーク中継装置の動作を説明する図である。
【図９】実施の形態１にかかる無線回線が復旧した場合のネットワーク中継装置の動作を説明する図である。
【図１０】実施の形態２にかかる通信システムの構成図である。
【図１１】実施の形態２にかかるネットワーク中継装置の構成図である。
【図１２】実施の形態２にかかる無線回線に障害が発生した場合の通信システムの動作を説明する図である。
【図１３】実施の形態２にかかる無線回線に障害が発生した場合の通信システムの動作を説明する図である。
【図１４】実施の形態２にかかる無線回線が復旧した場合の通信システムの動作を説明する図である。
【図１５】実施の形態２にかかる無線回線が復旧した場合の通信システムの動作を説明する図である。
【図１６】実施の形態３にかかる通信システムの構成図である。
【発明を実施するための形態】
【００１１】
（実施の形態１）
以下、図面を参照して本発明の実施の形態について説明する。図１を用いて本発明の実施の形態１にかかる通信システムの構成例について説明する。図１の通信システムは、中継装置１０と、対向中継装置２０と、通信装置３０とを備えている。中継装置１０と対向中継装置２０とは無線回線を介して接続されている。本図においては、中継装置１０と通信装置３０とは、有線回線を用いて接続されている構成を示しているが、無線回線が用いられてもよい。中継装置１０は、劣化検出部１１と、回線制御部１２とを備えている。対向中継装置２０は、中継装置１０と同様の構成であるため、本図において詳細な説明を省略する。
【００１２】
中継装置１０は、通信装置３０から送信されたデータを、無線回線を介して接続された対向中継装置２０へ送信する。また、中継装置１０は、無線回線を介して接続された対向中継装置２０から送信されたデータを通信装置３０へ送信してもよい。
【００１３】
劣化検出部１１は、対向中継装置２０との間において送受信される制御フレームを用いて無線回線の無線品質の劣化を検出する。制御フレームは、通信装置３０から送信されるデータとは異なるデータであり、中継装置１０と対向中継装置２０との間において送受信されるフレームデータである。制御フレームは、例えば、イーサネット（登録商標）ＯＡＭ（Operation administration and maintenance）プロトコルにおいて規定されたフレームであってもよく、その他のプロトコルにおいて規定されたフレームであってもよい。例えば、中継装置１０から対向中継装置２０へ送信した制御フレームに対する応答制御フレームが、あらかじめ定められた時間よりも遅延している場合や、応答制御フレームを受け取ることができなかった場合等に、中継装置１０は、無線品質の劣化が発生していると判定してもよい。
【００１４】
回線制御部１２は、劣化検出部１１において無線品質の劣化が検出された場合、無線回線を閉塞し通信経路を切り替える。無線回線の閉塞とは、例えば、無線回線として動作するポートの閉塞等を実行し、無線回線を使用できない状態にすることである。通信経路の切り替えとは、無線回線を用いて転送されていたデータを、中継装置１０に接続されている他の中継装置や通信装置等へ転送することである。
【００１５】
以上説明したように、図１の通信システムは、無線回線を介して接続されている中継装置１０と対向中継装置２０との間の無線品質の劣化を、制御フレームを用いて検出することができる。これにより、通信帯域を用いて無線品質の劣化を検出する場合よりも無線品質の劣化を早期に検出することができる。つまり、制御フレームを用いることにより、制御フレームに対する応答制御フレームの伝搬遅延や、応答制御フレームの受信可否等を判定することができる。そのため、段階的に小さくなる通信帯域を確認するよりも迅速に無線品質の劣化を検出することができる。
【００１６】
続いて、図２を用いて本発明の実施の形態１にかかる通信システムの詳細な構成例について説明する。図２の通信システムは、レイヤ２スイッチ１０１及び１０４と、ネットワーク中継装置１０２及び１０３と、ネットワーク中継装置１０５及び１０６と、ネットワーク中継装置１０７及び１０８とから構成されている。
【００１７】
レイヤ２スイッチ１０１とネットワーク中継装置１０２とは、通信回線２０１を介して接続されている。レイヤ２スイッチ１０４と、ネットワーク中継装置１０３とは、通信回線２０３を介して接続されている。通信回線２０１及び２０３は、複数の回線であってもよく、単一の回線であってもよい。また、通信回線２０１及び２０３は、有線回線であってもよく、無線回線であってもよい。ネットワーク中継装置１０２とネットワーク中継装置１０３とは、無線回線２０２を介して接続されている。同様に、ネットワーク中継装置１０５とネットワーク中継装置１０６とは、通信回線２０５を介して接続されている。ネットワーク中継装置１０７とネットワーク中継装置１０８とは、無線回線２０８を介して接続されている。
【００１８】
ネットワーク中継装置１０２とネットワーク中継装置１０５とは、通信回線２０４を介して接続されている。ネットワーク中継装置１０３とネットワーク中継装置１０６とは、通信回線２０６を介して接続されている。ネットワーク中継装置１０５とネットワーク中継装置１０７とは、通信回線２０７を介して接続されている。ネットワーク中継装置１０６とネットワーク中継装置１０８とは、通信回線２０９を介して接続されている。
【００１９】
通信回線２０４、２０６、２０７、２０９を用いてネットワーク中継装置を接続することにより、無線回線を終端するネットワーク中継装置１０２及び１０３と、ネットワーク中継装置１０５及び１０６と、ネットワーク中継装置１０７及び１０８とは多段接続となる。レイヤ２スイッチ１０１又は１０４と接続されているネットワーク中継装置１０２及び１０３を、最上段ネットワーク中継装置とする。また、ネットワーク中継装置１０７及び１０８を、最下段ネットワーク中継装置とする。
【００２０】
レイヤ２スイッチ１０１及び１０４の間において送受信されるデータは、無線回線２０２、２０５、２０８に振り分けて転送される。つまり、レイヤ２スイッチ１０１及び１０４の間において送受信されるデータは、無線回線２０２、２０５、２０８を用いてロードバランスされ、転送される。
【００２１】
さらに、それぞれのネットワーク中継装置にはＭＥＰ（Maintenance End Point）が設定されている。ＭＥＰは、イーサネットＯＡＭプロトコルにおいて規定されるＯＡＭフレームを終端する装置に設定される。ＯＡＭフレームは、制御フレームに対応する。ＭＥＰ３０１は、ネットワーク中継装置１０２に設定され、ＭＥＰ３０２は、ネットワーク中継装置１０３に設定され、ＭＥＰ３０３は、ネットワーク中継装置１０５に設定され、ＭＥＰ３０４は、ネットワーク中継装置１０６に設定され、ＭＥＰ３０５は、ネットワーク中継装置１０７に設定され、ＭＥＰ３０６は、ネットワーク中継装置１０８に設定される。
【００２２】
ＭＥＰ３０１及び３０２は、ネットワーク中継装置１０２及び１０３との間において送受信されるＯＡＭフレームを終端する。ＭＥＰ３０３及び３０４は、ネットワーク中継装置１０５及び１０６との間において送受信されるＯＡＭフレームを終端する。ＭＥＰ３０５及び３０６は、ネットワーク中継装置１０７及び１０８との間において送受信されるＯＡＭフレームを終端する。
【００２３】
ＭＥＰ３０１及び３０２間、ＭＥＰ３０３及び３０４間、ＭＥＰ３０５及び３０６間において、ＯＡＭフレームを用いて、イーサネットＯＡＭのＣＣ（Continuity Check）、ＤＭ（Delay Measurement）、ＬＭ（Loss Measurement）機能を実施する。それぞれのネットワーク中継装置は、イーサネットＯＡＭのＣＣ、ＤＭ、ＬＭ機能を実施することにより、無線回線の通信品質を監視する。それぞれのネットワーク中継装置は、通信品質の劣化を検出した場合、接続されている通信回線もしくは無線回線におけるリンク制御を実行し、通信経路を再設定する。
【００２４】
続いて、図３を用いて本発明の実施の形態１にかかるネットワーク中継装置１０２の構成例を説明する。ネットワーク中継装置１０２と、その他のネットワーク中継装置とにおける構成の差異、設定内容の違い等については、下記において適宜説明する。
【００２５】
ネットワーク中継装置１０２は、上段ポート４０１と、ポート４０２〜４０４と、下段ポート４０５と、スイッチコア４０６と、ポート監視部４０７と、リンク制御部４０８と、無線帯域監視部４０９と、イーサネットＯＡＭ機能部４１０と、無線回線ポート４１１と、ＭＥＰ３０１と、を備えている。さらに、イーサネットＯＡＭ機能部４１０は、ＬＯＣ検出部５０１と、遅延測定部５０２と、ロス測定部５０３と、フレーム送受信部５０４と、イーサネットＯＡＭ設定情報部５０５と、障害検出部５０６と、を備えている。
【００２６】
上段ポート４０１には、自装置よりも上段に位置するネットワーク中継装置と接続するための通信回線が設定される。例えば、ネットワーク中継装置１０２は、最上段のネットワーク中継装置であるため、自装置よりも上段に位置するネットワーク中継装置は存在しない。そのため、上段ポート４０１には通信回線が設定されない。ネットワーク中継装置１０５においては、自装置よりも上段に位置するネットワーク中継装置１０２が存在する。そのため、上段ポート４０１には、ネットワーク中継装置１０２と接続するために用いられる通信回線２０４が設定される。ネットワーク中継装置１０７においては、自装置よりも上段に位置するネットワーク中継装置１０５が存在する。そのため、上段ポート４０１には、ネットワーク中継装置１０５と接続するために用いられる通信回線２０７が設定される。ネットワーク中継装置１０３、１０６及び１０８もそれぞれ無線回線を介して対向する中継装置と同様に設定される。
【００２７】
下段ポート４０５には、自装置よりも下段に位置するネットワーク中継装置と接続するための通信回線が設定される。例えば、ネットワーク中継装置１０２においては、自装置よりも下段に位置するネットワーク中継装置１０５が存在する。そのため、下段ポート４０５には、ネットワーク中継装置１０５と接続するために用いられる通信回線２０４が設定される。ネットワーク中継装置１０５においては、自装置よりも下段に位置するネットワーク中継装置１０７が存在する。そのため、下段ポート４０５には、ネットワーク中継装置１０７と接続するために用いられる通信回線２０７が設定される。ネットワーク中継装置１０７は、最下段のネットワーク中継装置であるため、自装置よりも下段に位置するネットワーク中継装置は存在しない。そのため、下段ポート４０５には、通信回線が設定されない。ネットワーク中継装置１０３、１０６及び１０８もそれぞれ無線回線を介して対向する中継装置と同様に設定される。
【００２８】
ポート４０２〜４０４には、レイヤ２スイッチ１０１と接続するために用いられる通信回線２０１が設定される。本図においては、３つのポートを有する構成例について説明しているが、ポートの数は３つに制限されない。レイヤ２スイッチ１０１又は１０４と接続されないネットワーク中継装置１０５〜１０８のポート４０２〜４０４には、通信回線が設定されない。もしくは、ネットワーク中継装置１０５〜１０８には、ポート４０２〜４０４が備えられなくてもよい。
【００２９】
スイッチコア４０６は、上段ポート４０１と、ポート４０２〜４０４と下段ポート４０５と、無線回線ポート４１１と接続されており、それぞれのポート間におけるフレームの転送を行う。また、スイッチコア４０６は、リンク制御部４０８から実行される制御に基づいて、それぞれのポートの閉塞もしくは閉塞解除の設定を行う。
【００３０】
ポート監視部４０７は、上段ポート４０１、ポート４０２〜４０４及び下段ポート４０５のリンク状態を監視する。リンク状態とは、リンクがアップもしくはダウンしている状態である。ポート監視部４０７は、リンクアップ又はリンクダウン情報が設定されたリンク情報をリンク制御部４０８へ出力する。
【００３１】
無線帯域監視部４０９は、無線回線ポート４１１の通信帯域を監視する。無線帯域監視部４０９は、無線回線ポート４１１において利用可能な通信帯域に関する無線帯域情報をリンク制御部４０８へ出力する。
【００３２】
次に、イーサネットＯＡＭ機能部４１０の構成要素について説明する。フレーム送受信部５０４は、スイッチコア４０６、無線回線ポート４１１及び無線回線２０２を介して、ネットワーク中継装置１０３とＯＡＭフレームの送受信を行う。
【００３３】
イーサネットＯＡＭ設定情報部５０５は、ネットワーク中継装置１０３へ送信するフレームの送信間隔に関する情報を保持している。さらに、イーサネットＯＡＭ設定情報部５０５は、ネットワーク中継装置１０２からネットワーク中継装置１０３へ送信ＯＡＭフレームを送信してから、ネットワーク中継装置１０３からネットワーク中継装置１０２へ送信される応答ＯＡＭフレームを受信するまでの時間に関する情報を保持している。具体的には、イーサネットＯＡＭ設定情報部５０５は、許容されるフレーム遅延の最大値、平均値及び揺らぎ等に関する情報を保持している。さらに、イーサネットＯＡＭ設定情報部５０５は、許容されるフレームのロス率等に関する情報を保持していてもよい。
【００３４】
ＬＯＣ検出部５０１は、フレーム送受信部５０４を使用し、無線回線２０２を介してネットワーク中継装置１０３へＯＡＭフレームを所定周期で送信する。ＬＯＣ検出部５０１は、イーサネットＯＡＭ設定情報部５０５において定められているＯＡＭフレームの送信間隔に関する情報に基づいて、ＯＡＭフレームを送信する周期を定めてもよい。さらに、ＬＯＣ検出部５０１は、所定期間の間にネットワーク中継装置１０３から応答ＯＡＭフレームを受信しない場合に、接続性障害（ＬＯＣ）が発生したと判定する。例えば、接続性障害が発生したと判定するための所定の期間は、ＯＡＭフレームを送信する所定周期の数倍の期間等と定められてもよい。この場合、ＬＯＣ検出部５０１は、障害検出部５０６へ接続性障害の発生を通知する。
【００３５】
障害検出部５０６は、ＬＯＣ検出部５０１から通知を受けるとリンク制御部４０８へ接続性障害の発生を通知する。さらに、ＬＯＣ検出部５０１は、接続性障害が発生中に、ネットワーク中継装置１０３からＯＡＭフレームを受信した場合、接続性障害が復旧したと判定する。この場合、ＬＯＣ検出部５０１は、障害検出部５０６を介してリンク制御部４０８へ接続性障害の復旧を通知する。
【００３６】
遅延測定部５０２は、フレーム送受信部５０４を使用し、無線回線２０２を介してネットワーク中継装置１０３へ遅延測定メッセージ（ＤＭＭ：Delay Measurement Message）を所定周期で送信する。遅延測定メッセージの送信周期は、イーサネットＯＡＭ設定情報部５０５において定められてもよい。遅延測定部５０２は、ネットワーク中継装置１０３から返信される遅延測定応答（ＤＭＲ：Delay Measurement Reply）を受信することにより遅延の測定を行う。遅延測定部５０２は、無線回線におけるフレーム伝達遅延の最小値、最大値、平均値及び揺らぎといった情報を蓄積する。
【００３７】
遅延測定部５０２は、フレーム伝達遅延の最大値が、あらかじめイーサネットＯＡＭ設定情報部５０５に設定されたフレーム伝達遅延の最大値を超えた場合に、障害検出部５０６に対してフレーム遅延時間異常を通知する。遅延測定部５０２は、フレーム伝達遅延の平均値もしくは揺らぎが、あらかじめイーサネットＯＡＭ設定情報部５０５に設定されたフレーム伝達遅延の平均値もしくは揺らぎを超えた場合に、障害検出部５０６に対してフレーム遅延時間異常を通知してもよい。さらに、遅延測定部５０２は、ネットワーク中継装置１０３から遅延測定メッセージを受信し、遅延測定応答を返信する。
【００３８】
障害検出部５０６は、遅延測定部５０２からフレーム遅延時間異常が通知された場合、遅延閾値超過発生をリンク制御部４０８へ通知する。遅延測定部５０２は、遅延閾値超過発生状態においてフレーム伝達遅延に関する全てのパラメータが、イーサネットＯＡＭ設定情報部５０５に設定されているフレーム伝達遅延に関する閾値を超過しなくなった場合に、障害検出部５０６を介してリンク制御部４０８に対して遅延閾値超過復旧を通知する。
【００３９】
ロス測定部５０３は、フレーム送受信部５０４を使用し、無線回線２０２を介してネットワーク中継装置１０３へロス測定メッセージ（ＬＭＭ：Loss Measurement Message）を所定周期で送信する。ロス測定メッセージの送信周期は、イーサネットＯＡＭ設定情報部５０５において定められてもよい。ロス測定部５０３は、ネットワーク中継装置１０３から返信されるロス測定応答（ＬＭＲ：Loss Measurement Reply）を受信することによりロスの測定を行う。ロス測定部５０３は、無線回線における送信フレームロス数、送信フレームロス率、受信フレームロス数、受信フレームロス率といった情報を蓄積する。
【００４０】
ロス測定部５０３は、送信フレームロス数、送信フレームロス率、受信フレームロス数、受信フレームロス率が、あらかじめイーサネットＯＡＭ設定情報部５０５に設定された送信フレームロス数、送信フレームロス率、受信フレームロス数、受信フレームロス率を超えた場合に、障害検出部５０６に対してフレームロス異常を通知する。さらに、ロス測定部５０３は、ネットワーク中継装置１０３からロス測定メッセージを受信し、ロス測定応答を返信する。
【００４１】
障害検出部５０６は、ロス測定部５０３からフレームロス異常が通知された場合、ロス閾値超過発生をリンク制御部４０８へ通知する。ロス測定部５０３は、ロス閾値超過発生状態においてフレームロスに関する全てのパラメータが、イーサネットＯＡＭ設定情報部５０５に設定されているフレームロスに関する閾値を超過しなくなった場合に、障害検出部５０６を介してリンク制御部４０８に対してロス閾値超過復旧を通知する。
【００４２】
リンク制御部４０８は、ポート監視部４０７から、上段ポート４０１及び下段ポート４０５に通信回線が設定されているか否かに関する情報を読み出す。リンク制御部４０８は、上段ポート４０１に通信回線が設定されていないとの情報を読み出した場合、自装置を最上段のネットワーク中継装置１０２であると判定する。リンク制御部４０８は、下段ポート４０５に通信回線が設定されていないとの情報を読み出した場合、自装置を最下段のネットワーク中継装置１０７であると判定する。リンク制御部４０８は、上段ポート４０１及び下段ポート４０５に通信回線が設定されているとの情報を読み出した場合、自装置を最上段でも最下段でもないネットワーク中継装置１０５であると判定する。
【００４３】
以下に、最上段のネットワーク中継装置１０２と、最上段でも最下段でもないネットワーク中継装置１０５と、最下段のネットワーク中継装置１０７とにおけるリンク制御部４０８の制御内容について説明する。
【００４４】
はじめに、最上段のネットワーク中継装置１０２におけるリンク制御部４０８の制御内容について説明する。リンク制御部４０８は、イーサネットＯＡＭ機能部４１０から無線回線２０２において接続性障害発生、遅延閾値超過発生及びロス閾値超過発生のうち少なくとも一つが通知されるか、もしくは、無線帯域監視部４０９から無線帯域が所定の値以下、例えば０ｂｐｓ、であることを通知された場合、無線回線２０２の通信品質が劣化していると判定する。この場合、リンク制御部４０８は、スイッチコア４０６に対して、無線回線ポート４１１へデータの振り分けを停止させる。さらに、リンク制御部４０８は、下段ポート４０５へ全てのパケットをフォワーディングするように設定変更を行う。
【００４５】
ここで、リンク制御部４０８は、接続性障害復旧、遅延閾値超過復旧、ロス閾値超過復旧及び無線帯域が所定の値以上、例えば数Ｍｂｐｓ以上等のうち少なくとも１つを通知された場合に、接続性障害、遅延閾値超過、ロス閾値超過及び無線帯域の減少による障害が全て解消したか否かを判定する。リンク制御部４０８は、全ての障害が解消したと判定した場合、無線回線ポート４１１及び下段ポート４０５へデータの送信振り分け設定を行い、パケットをロードバランスして転送するように設定変更する。
【００４６】
次に、最下段のネットワーク中継装置１０７におけるリンク制御部４０８の制御内容について説明する。リンク制御部４０８は、イーサネットＯＡＭ機能部４１０から無線回線２０２において接続性障害発生、遅延閾値超過発生及びロス閾値超過発生のうち少なくとも一つが通知されるか、もしくは、無線帯域監視部４０９から無線帯域が所定の値以下、例えば０ｂｐｓ、であることを通知された場合、無線回線２０８の通信品質が劣化していると判定する。この場合、リンク制御部４０８は、スイッチコア４０６に対して、無線回線ポート４１１へデータの振り分けを停止させる。さらに、リンク制御部４０８は、上段のネットワーク中継装置１０７の上段ポート４０１を強制閉塞し、ネットワーク中継装置１０５の下段ポート４０５も閉塞させる。これにより、ネットワーク中継装置１０５からネットワーク中継装置１０７に対するデータの転送を停止させることができる。ネットワーク中継装置１０５は、ネットワーク中継装置１０７から下段ポート４０５のポートの閉塞指示を受けた場合、下段ポート４０５へのパケット振り分けを停止する。
【００４７】
ここで、リンク制御部４０８は、接続性障害復旧、遅延閾値超過復旧、ロス閾値超過復旧及び無線帯域が所定の値以上、例えば数Ｍｂｐｓ以上等のうち少なくとも１つを通知された場合に、接続性障害、遅延閾値超過、ロス閾値超過及び無線帯域の減少による障害が全て解消したか否かを判定する。リンク制御部４０８は、全ての障害が解消したと判定した場合、無線回線ポート４１１へデータの送信設定を行うとともに上段ポート４０１の閉塞解除設定を行い、ネットワーク中継装置１０５の下段ポート４０５についても閉塞を解除させる。
【００４８】
次に、最上段でも最下段でもないネットワーク中継装置１０５におけるリンク制御部４０８の制御内容について説明する。リンク制御部４０８は、イーサネットＯＡＭ機能部４１０から無線回線２０２において接続性障害発生、遅延閾値超過発生及びロス閾値超過発生のうち少なくとも一つが通知されるか、もしくは、無線帯域監視部４０９から無線帯域が所定の値以下、例えば０ｂｐｓ、であることを通知された場合、無線回線２０５の通信品質が劣化していると判定する。この場合、リンク制御部４０８は、スイッチコア４０６に対して、無線回線ポート４１１へデータの振り分けを停止させる。さらに、リンク制御部４０８は、下段ポート４０５へ全てのパケットをフォワーディングするように設定変更を行う。ここで、下段ポート４０５が既に閉塞している場合、リンク制御部４０８は、上段ポート４０１を強制閉塞し、ネットワーク中継装置１０２の下段ポート４０５も閉塞させる。ネットワーク中継装置１０２は、ネットワーク中継装置１０５から下段ポート４０５のポートの閉塞指示を受けた場合、下段ポート４０５へのパケット振り分けを停止する。
【００４９】
ここで、リンク制御部４０８は、接続性障害復旧、遅延閾値超過復旧、ロス閾値超過復旧及び無線帯域が所定の値以上、例えば数Ｍｂｐｓ以上等のうち少なくとも１つを通知された場合に、接続性障害、遅延閾値超過、ロス閾値超過及び無線帯域の減少による障害が全て解消したか否かを判定する。リンク制御部４０８は、全ての障害が解消したと判定した場合、無線回線ポート４１１へデータの送信振り分け設定を行う。さらに、上段ポート４０１が閉塞状態である場合、閉塞解除設定を行い、ネットワーク中継装置１０２の下段ポート４０５についても閉塞を解除させる。
【００５０】
続いて、図４を用いて、無線回線２０２に障害が発生した場合の通信システムの動作について説明する。はじめに、無線回線２０２に障害が発生した場合（Ｓ１０１）、ネットワーク中継装置１０２は、無線回線２０２の障害を検出する（Ｓ１０２）。同様に、ネットワーク中継装置１０３も無線回線２０２の障害を検出する（Ｓ１０３）。次に、ネットワーク中継装置１０２は、通信回線２０１を介して受信したデータ（例えばイーサネットフレーム）のロードバランス先として、無線回線２０２を削除し通信回線２０４のみに変更する（Ｓ１０４）。同様に、ネットワーク中継装置１０３は、通信回線２０３を介して受信したデータのロードバランス先として、無線回線２０２を削除し通信回線２０６のみに変更する。
【００５１】
続いて、図５を用いて、無線回線２０８に障害が発生した場合の通信システムの動作について説明する。はじめに、無線回線２０８に障害が発生した場合（Ｓ１１１）、ネットワーク中継装置１０７は、無線回線２０８の障害を検出する（Ｓ１１２）。同様に、ネットワーク中継装置１０８も無線回線２０８の障害を検出する（Ｓ１１３）。次に、ネットワーク中継装置１０７は、通信回線２０７と接続されている上段ポート４０１を閉塞する（Ｓ１１４）。同様に、ネットワーク中継装置１０８も通信回線２０９と接続されている上段ポート４０１を閉塞する（Ｓ１１５）。
【００５２】
次に、ネットワーク中継装置１０５は、通信回線２０７のリンクダウンを検出する（Ｓ１１６）。同様に、ネットワーク中継装置１０６も通信回線２０９のリンクダウンを検出する（Ｓ１１７）。次に、ネットワーク中継装置１０５は、通信回線２０４を介して受信したデータのロードバランス先を無線回線２０５のみに変更する（Ｓ１１８）。同様に、ネットワーク中継装置１０６も、通信回線２０６を介して受信したデータのロードバランス先を無線回線２０５のみに変更する（Ｓ１１９）。
【００５３】
続いて、図６を用いて、障害状態の無線回線２０２が復旧した場合の通信システムの動作について説明する。はじめに、無線回線２０２が障害状態から復旧した場合（Ｓ２０１）、ネットワーク中継装置１０２は、無線回線２０２の復旧を検出する（Ｓ２０２）。同様に、ネットワーク中継装置１０３も無線回線２０２の復旧を検出する（Ｓ２０３）。
【００５４】
次に、ネットワーク中継装置１０２は、通信回線２０１を介して受信したデータのロードバランス先を無線回線２０２及び通信回線２０４に変更する（Ｓ２０４）。同様に、ネットワーク中継装置１０３も通信回線２０３を介して受信したデータのロードバランス先を無線回線２０２及び無線回線２０６に変更する（Ｓ２０５）。
【００５５】
続いて、図７を用いて、障害状態の無線回線２０８が復旧した場合の通信システムの動作について説明する。はじめに、無線回線２０８が障害状態から復旧した場合（Ｓ２１１）、ネットワーク中継装置１０７は、無線回線２０８の復旧を検出する（Ｓ２１２）。同様に、ネットワーク中継装置１０８も無線回線２０８の復旧を検出する（Ｓ２１３）。
【００５６】
次に、ネットワーク中継装置１０７は、上段ポート４０１の閉塞を解除し通信回線２０７を通信可能状態とする（Ｓ２１４）。同様に、ネットワーク中継装置１０８も上段ポート４０１の閉塞を解除し通信回線２０９を通信可能状態とする（Ｓ２１５）。
【００５７】
次に、ネットワーク中継装置１０５は、通信回線２０７のリンクアップを検出する（Ｓ２１６）。同様に、ネットワーク中継装置１０６も通信回線２０９のリンクアップを検出する（Ｓ２１７）。次に、ネットワーク中継装置１０５は、通信回線２０４を介して受信したデータのロードバランス先を無線回線２０５及び通信回線２０７に変更する（Ｓ２１８）。同様に、ネットワーク中継装置１０６は、通信回線２０６を介して受信したデータのロードバランス先を無線回線２０５及び２０９に変更する（Ｓ２１９）。
【００５８】
続いて、図８を用いて、無線回線２０２に障害が発生した場合のネットワーク中継装置１０２の動作について説明する。はじめに、無線回線２０２に接続性障害が発生した場合、ＬＯＣ検出部５０１は、接続性障害を検出する（Ｓ３０１）。次に、ＬＯＣ検出部５０１は、障害検出部５０６へ接続性障害の検出もしくは発生を通知する（Ｓ３０２）。
【００５９】
次に、障害検出部５０６は、リンク制御部４０８へ無線回線２０２における接続性障害の発生を通知する（Ｓ３０３）。次に、リンク制御部４０８は、スイッチコア４０６に対して、無線回線ポート４１１の強制閉塞を指示する（Ｓ３０４）。次に、スイッチコア４０６は、無線回線ポート４１１の強制閉塞処理を実行する（Ｓ３０５）。
【００６０】
本図においては、接続性障害（ＬＯＣ）が発生した場合の処理の流れについて説明したが、遅延測定部５０２においてフレーム遅延時間異常を検出した場合も同様の処理が実行される。この場合、ステップＳ３０２において、遅延測定部５０２は、障害検出部５０６へフレーム遅延時間異常を通知する。さらに、ステップＳ３０３において、障害検出部５０６は、リンク制御部４０８に対して遅延閾値超過発生を通知する。もしくは、ロス測定部５０３においてフレームロス異常を検出した場合も同様の処理が実行される。この場合、ステップＳ３０２において、ロス測定部５０３は、障害検出部５０６へフレームロス異常を通知する。さらに、ステップＳ３０３において、障害検出部５０６は、リンク制御部４０８に対してロス閾値超過発生を通知する。
【００６１】
さらに、本図においては、無線回線２０２に障害が発生した場合のネットワーク中継装置１０２の動作について説明したが、無線回線２０５に障害が発生した場合のネットワーク中継装置１０５においても同様の処理が実行される。この場合、ステップＳ３０４において、下段ポート４０５のリンク状態を確認し、下段ポート４０５のリンク状態がリンクダウンである場合、スイッチコア４０６に対して、無線回線ポート４１１と共に上段ポート４０１の強制閉塞を指示する。下段ポート４０５のリンク状態がリンクアップである場合、スイッチコア４０６に対して、無線回線ポート４１１の強制閉塞を指示する。さらに、無線回線２０８に障害が発生した場合のネットワーク中継装置１０７においても同様の処理が実行される。この場合、ステップＳ３０４において、スイッチコア４０６に対して、無線回線ポート４１１と共に上段ポート４０１の強制閉塞を指示する。
【００６２】
続いて、図９を用いて、障害状態の無線回線２０２が復旧した場合のネットワーク中継装置１０２の動作について説明する。無線回線２０２において発生していた接続性障害が復旧した場合、ＬＯＣ検出部５０１は、接続性障害復旧を検出する（Ｓ４０１）。次に、ＬＯＣ検出部５０１は、障害検出部５０６へ接続性障害の復旧を通知する（Ｓ４０２）。次に、障害検出部５０６は、リンク制御部４０８へ無線回線２０２の障害復旧を通知する（Ｓ４０３）。次に、リンク制御部４０８は、無線帯域監視部４０９へ無線回線２０２における利用可能な通信帯域の確認通知に関する信号を送信する（Ｓ４０４）。次に、無線帯域監視部４０９は、無線回線２０２における利用可能な通信帯域情報を設定した応答信号をリンク制御部４０８へ通知する（Ｓ４０５）。次に、リンク制御部４０８は、無線回線２０２における利用可能な通信帯域が所定の値よりも大きい場合、例えば、０ｂｐｓよりも大きい場合、スイッチコア４０６に対して、無線回線ポート４１１の閉塞解除指示を通知する（Ｓ４０６）。次に、スイッチコア４０６は、無線回線ポート４１１の閉塞解除処理を実行する（Ｓ４０７）。
【００６３】
本図においては、接続性障害が復旧した場合の処理の流れについて説明したが、遅延閾値超過及びロス閾値超過が復旧した場合も同様である。接続性障害、遅延閾値超過及びロス閾値超過のうち少なくとも２つの障害が発生している場合、ステップＳ４０３において、障害検出部５０６は、全ての障害が復旧した旨の通知を受けた場合に、リンク制御部４０８へ無線回線２０２の障害復旧を通知してもよい。
【００６４】
さらに、本図においては、障害状態の無線回線２０２が復旧した場合のネットワーク中継装置１０２の動作について説明したが、障害状態の無線回線２０５が復旧した場合のネットワーク中継装置１０５においても同様の処理が実行される。この場合、ステップＳ４０６において、上段ポート４０１のリンク状態を確認し、上段ポート４０１のリンク状態がリンクダウンである場合、スイッチコア４０６に対して、無線回線ポート４１１と共に上段ポート４０１の閉塞解除を指示する。上段ポート４０１のリンク状態がリンクアップである場合、スイッチコア４０６に対して、無線回線ポート４１１の閉塞解除を指示する。さらに、無線回線２０８に障害が発生した場合のネットワーク中継装置１０７においても同様の処理が実行される。この場合、ステップＳ４０６において、スイッチコア４０６に対して、無線回線ポート４１１と共に上段ポート４０１の閉塞解除を指示する。
【００６５】
以上説明したように、本発明の実施の形態１にかかる通信システムにおいて、定期的に送受信されるＯＡＭフレームを用いることにより、応答ＯＡＭフレームの受信間隔等、あらかじめ定められた閾値を超えた場合に、無線回線に障害が発生したと判定することができる。これにより、通信品質が劣化した無線品質を使用することを回避することができるため、フレームロス率を少なくすることができる。さらに、フレームロス率を少なくすることにより、ＴＣＰ通信における再送データを発生させることも防止することができるため、再送データによる輻輳の発生を防止することができる。これにより、安定した通信品質の回線をユーザに提供することができる。
【００６６】
（実施の形態２）
続いて、図１０を用いて本発明の実施の形態２にかかる通信システムの詳細な構成例について説明する。ここでは、図２の通信システムと異なる構成について説明を行い、同様の構成については説明を省略する。
【００６７】
図１０の通信システムにおいては、ネットワーク中継装置１０２とネットワーク中継装置１０５とは、高優先通信回線２０４Ｈ及び低優先通信回線２０４Ｌを介して接続されている。ネットワーク中継装置１０３とネットワーク中継装置１０６とは、高優先通信回線２０６Ｈ及び低優先通信回線２０６Ｌを介して接続されている。ネットワーク中継装置１０５とネットワーク中継装置１０７とは、高優先通信回線２０７Ｈ及び低優先通信回線２０７Ｌを介して接続されている。ネットワーク中継装置１０６とネットワーク中継装置１０８とは、高優先通信回線２０９Ｈ及び低優先通信回線２０９Ｌを介して接続されている。
【００６８】
続いて、図１１を用いて本発明の自紙の形態２にかかるネットワーク中継装置１０２の構成例を説明する。ネットワーク中継装置１０２と、その他のネットワーク中継装置とにおける構成の際、設定内容の違い等については、下記において適宜説明する。また、ここでは、図３のネットワーク中継装置１０２と異なる構成について説明を行い、同様の構成については説明を省略する。
【００６９】
本図におけるネットワーク中継装置１０２は、図３の上段ポート４０１の代わりに、高優先上段ポート４０１Ｈ及び低優先上段ポート４０１Ｌが用いられる。さらに、図３の下段ポート４０５の代わりに、高優先下段ポート４０５Ｈ及び低優先下段ポート４０５Ｌが用いられる。本図のその他の構成については、図３と同様であるため詳細な説明を省略する。
【００７０】
ネットワーク中継装置１０２においては、高優先上段ポート４０１Ｈ及び低優先上段ポート４０１Ｌには通信回線が設定されない。ネットワーク中継装置１０５においては、高優先上段ポート４０１Ｈには、高優先通信回線２０４Ｈが設定され、低優先上段ポート４０１Ｌには、低優先通信回線２０４Ｌが設定される。ネットワーク中継装置１０７においては、高優先上段ポート４０１Ｈには、高優先通信回線２０７Ｈが設定され、低優先上段ポート４０１Ｌには、低優先通信回線２０７Ｌが設定される。ネットワーク中継装置１０３、１０６及び１０８もそれぞれ無線回線を介して対向する中継装置と同様に設定される。
【００７１】
さらに、ネットワーク中継装置１０２においては、高優先下段ポート４０５Ｈには、高優先通信回線２０４Ｈが設定され、低優先下段ポート４０５Ｌには、低優先通信回線２０４Ｌが設定される。ネットワーク中継装置１０５においては、高優先下段ポート４０５Ｈには高優先通信回線２０７Ｈが設定され、低優先下段ポート４０５Ｌには、低優先通信回線２０７Ｌが設定される。ネットワーク中継装置１０３、１０６及び１０８もそれぞれ無線回線を介して対向する中継装置と同様に設定される。
【００７２】
以下に、最上段のネットワーク中継装置１０２と、最上段でも最下段でもないネットワーク中継装置１０５と、最下段のネットワーク中継装置１０７とにおける、遅延閾値超過及びロス閾値超過発生時のリンク制御部４０８の制御内容について説明する。
【００７３】
はじめに、最上段のネットワーク中継装置１０２におけるリンク制御部４０８の制御内容について説明する。リンク制御部４０８は、イーサネットＯＡＭ機能部４１０から無線回線２０２において遅延閾値超過発生及びロス閾値超過発生のうち少なくとも一つが通知された場合、無線回線２０２の品質が劣化していると判定する。この場合、リンク制御部４０８は、スイッチコア４０６に対して、低優先下段ポート４０５Ｌを強制閉塞させる。さらに、リンク制御部４０８は、高優先設定されたパケットを、高優先下段ポート４０５Ｈを介して、ネットワーク中継装置１０５へ振り分け、低優先設定されたパケットを、無線回線２０２へ振り分けるように設定変更を行う。このように設定変更を行うことにより、高優先設定されたパケットを品質が劣化している無線回線２０２へ振り分けることを防止することができる。さらに、低優先設定されたパケットを無線回線２０２へ振り分けることにより、ロードバランスを実現することができる。
【００７４】
次に、最下段のネットワーク中継装置１０７におけるリンク制御部４０８の制御内容について説明する。リンク制御部４０８は、イーサネットＯＡＭ機能部４１０から無線回線２０２において遅延閾値超過発生及びロス閾値超過発生のうち少なくとも一つが通知された場合、無線回線２０８の品質が劣化していると判定する。この場合、リンク制御部４０８は、スイッチコア４０６に対して、高優先上段ポート４０１Ｈを強制閉塞させる。このように設定変更を行うことにより、高優先設定されたパケットを品質が劣化している無線回線２０８へ振り分けることを防止することができる。さらに、低優先設定されたパケットを無線回線２０８へ振り分けることにより、ロードバランスを実現することができる。
【００７５】
次に、最上段でも最下段でもないネットワーク中継装置１０５におけるリンク制御部４０８の制御内容について説明する。リンク制御部４０８は、イーサネットＯＡＭ機能部４１０から無線回線２０２において遅延閾値超過発生及びロス閾値超過発生のうち少なくとも一つが通知された場合、無線回線２０５の品質が劣化していると判定する。この場合、リンク制御部４０８は、スイッチコア４０６に対して、高優先上段ポート４０１Ｈを強制閉塞させる。このように設定変更を行うことにより、高優先設定されたパケットを品質が劣化している無線回線２０５へ振り分けることを防止することができる。さらに、低優先設定されたパケットを無線回線２０５へ振り分けることにより、ロードバランスを実現することができる。
【００７６】
もしくは、リンク制御部４０８に対して、高優先上段ポート４０１Ｈを強制閉塞させる代わりに、上段ポート４０１において受信した高優先設定されたパケットを、全て高優先下段ポート４０５Ｈへ振り分け、低優先上段ポート４０１Ｌにおいて受信した低優先設定されたパケットの一部もしくは全てを無線回線２０５へ振り分けるように制御する。このようにしても、高優先設定されたパケットを品質が劣化している無線回線２０５へ振り分けることを防止することができる。さらに、低優先設定されたパケットを無線回線２０５へ振り分けることにより、ロードバランスを実現することができる。
【００７７】
続いて、図１２を用いて、無線回線２０２に遅延閾値超過及びロス閾値超過が発生した場合の通信システムの動作について説明する。はじめに、無線回線２０２に遅延閾値超過及びロス閾値超過が発生した場合（Ｓ５０１）、ネットワーク中継装置１０２は、無線回線２０２における遅延閾値超過及びロス閾値超過を検出する（Ｓ５０２）。同様に、ネットワーク中継装置１０３も無線回線２０２における遅延閾値超過及びロス閾値超過を検出する（Ｓ５０３）。次に、ネットワーク中継装置１０２は、通信回線２０１を介して受信したデータ（例えばイーサネットフレーム）について、高優先設定されたデータのロードバランス先を高優先通信回線２０４Ｈに設定し、低優先設定されたデータのロードバランス先を無線回線２０２に設定する（Ｓ５０４）。同様に、ネットワーク中継装置１０３は、通信回線２０３を介して受信したデータについて、高優先設定されたデータのロードバランス先を高優先通信回線２０６Ｈに設定し、低優先設定されたデータのロードバランス先を無線回線２０２に設定する（Ｓ５０５）。
【００７８】
続いて、図１３を用いて、無線回線２０８に遅延閾値超過及びロス閾値超過が発生した場合の通信システムの動作について説明する。はじめに、無線回線２０８に遅延閾値超過及びロス閾値超過が発生した場合（Ｓ５１１）、ネットワーク中継装置１０７は、無線回線２０８における遅延閾値超過及びロス閾値超過を検出する（Ｓ５１２）。同様に、ネットワーク中継装置１０８も無線回線２０８における遅延閾値超過及びロス閾値超過を検出する（Ｓ５１３）。次に、ネットワーク中継装置１０７は、高優先通信回線２０７Ｈを強制閉塞する（Ｓ５１４）。同様に、ネットワーク中継装置１０８も高優先通信回線２０９Ｈを強制閉塞する（Ｓ５１５）。
【００７９】
次に、ネットワーク中継装置１０５は、高優先通信回線２０７Ｈのリンクダウンを検出し、低優先通信回線２０７Ｌのリンクアップを検出する（Ｓ５１６）。同様に、ネットワーク中継装置１０６も通信回線２０９Ｈのリンクダウンを検出し、低優先通信回線２０９Ｌのリンクアップを検出する（Ｓ５１７）。次に、ネットワーク中継装置１０５は、高優先通信回線２０４Ｈおよび低優先通信回線２０４Ｌを介して受信したデータについて、高優先設定されたデータのロードバランス先を無線回線２０５に設定し、低優先設定されたデータのロードバランス先を低優先通信回線２０７Ｌに設定する（Ｓ５１８）。同様に、ネットワーク中継装置１０６も、高優先通信回線２０６Ｈおよび低優先通信回線２０６Ｌを介して受信したデータについて、高優先設定されたデータのロードバランス先を無線回線２０５に設定し、低優先設定されたデータのロードバランス先を低優先通信回線２０９Ｌに設定する（Ｓ５１９）。
【００８０】
続いて、図１４を用いて、遅延閾値超過もしくはロス閾値超過状態の無線回線２０２が復旧した場合の通信システムの動作について説明する。はじめに、無線回線２０２が遅延閾値超過もしくはロス閾値超過状態から復旧した場合（Ｓ６０１）、ネットワーク中継装置１０２は、無線回線２０２の復旧を検出する（Ｓ６０２）。同様に、ネットワーク中継装置１０３も無線回線２０２の復旧を検出する（Ｓ６０３）。
【００８１】
次に、ネットワーク中継装置１０２は、通信回線２０１を介して受信したデータのロードバランス先を無線回線２０２、高優先通信回線２０４Ｈ及び低優先通信回線２０４Ｌに変更する（Ｓ６０４）。同様に、ネットワーク中継装置１０３も通信回線２０３を介して受信したデータのロードバランス先を無線回線２０２、高優先通信回線２０６Ｈ及び低優先通信回線２０６Ｌに変更する（Ｓ６０５）。
【００８２】
続いて、図１５を用いて、遅延閾値超過もしくはロス閾値超過状態の無線回線２０８が復旧した場合の通信システムの動作について説明する。はじめに、無線回線２０８が遅延閾値超過もしくはロス閾値超過状態から復旧した場合（Ｓ６１１）、ネットワーク中継装置１０７は、無線回線２０８の復旧を検出する（Ｓ６１２）。同様に、ネットワーク中継装置１０８も無線回線２０８の復旧を検出する（Ｓ６１３）。
【００８３】
次に、ネットワーク中継装置１０７は、高優先通信回線２０７Ｈ及び低優先通信回線２０７Ｌの閉塞を解除し高優先通信回線２０７Ｈ及び低優先通信回線２０７Ｌを通信可能状態とする（Ｓ６１４）。同様に、ネットワーク中継装置１０８も高優先通信回線２０９Ｈ及び低優先通信回線２０９Ｌの閉塞を解除し高優先通信回線２０９Ｈ及び低優先通信回線２０９Ｌを通信可能状態とする（Ｓ６１５）。
【００８４】
次に、ネットワーク中継装置１０５は、高優先通信回線２０７Ｈ及び低優先通信回線２０７Ｌのリンクアップを検出する（Ｓ６１６）。同様に、ネットワーク中継装置１０６も高優先通信回線２０９Ｈ及び低優先通信回線２０９Ｌのリンクアップを検出する（６１７）。次に、ネットワーク中継装置１０５は、高優先通信回線２０４Ｈ及び低優先通信回線２０４Ｌを介して受信したデータのロードバランス先を無線回線２０５、高優先通信回線２０７Ｈ及び低優先通信回線２０７Ｌに変更する（Ｓ６１８）。同様に、ネットワーク中継装置１０６は、高優先通信回線２０６Ｈ及び低優先通信回線２０６Ｌを介して受信したデータのロードバランス先を無線回線２０５、高優先通信回線２０９Ｈ及び低優先通信回線２０９Ｌに変更する（Ｓ６１９）。
【００８５】
続いて、無線回線２０２に遅延閾値超過もしくはロス閾値超過が発生した場合のネットワーク中継装置１０２の動作について、図８を用いて説明する。ステップＳ３０１〜Ｓ３０３については、図８における説明と同様である。ステップＳ３０４においては、低優先下段ポート４０５Ｌを強制閉塞し、低優先に設定されたデータを、無線回線２０２へ振り分けるとともに、高優先に設定されたデータを高優先下段ポート４０５Ｈへ振り分ける。
【００８６】
続いて、遅延閾値超過もしくはロス閾値超過状態の無線回線２０２が復旧した場合のネットワーク中継装置１０２の動作について、図９を用いて説明する。ステップＳ４０１〜Ｓ４０５については、図９における説明と同様である。ステップＳ４０６においては、リンク制御部４０８は、無線回線２０２における利用可能な通信帯域が所定の値よりも大きい場合、例えば、０ｂｐｓよりも大きい場合、スイッチコア４０６に対して、低優先下段ポート４０５Ｌの閉塞解除指示を通知して、データのロードバランス先として、無線回線２０２、高優先下段ポート４０５Ｈ及び低優先下段ポート４０５Ｌを設定させる（Ｓ４０６）。
【００８７】
以上説明したように、本発明の実施の形態２にかかる通信システムにおいては、ロードバランスする際に、優先度の高いデータを、フレームロスの少ない経路及び遅延の少ない経路に設定することにより、優先度の高いデータに高品質な通信回線を提供することができる。
【００８８】
（実施の形態３）
続いて、図１６を用いて、本発明の実施の形態３にかかる通信システムの構成例について説明する。図１６の通信システムは、図２の通信システムにおいて、ネットワーク中継装置１０２とネットワーク中継装置１０７との間の通信回線の障害状態を検出するために、ネットワーク中継装置１０２及びネットワーク中継装置１０７にＭＥＰを設定している。ネットワーク中継装置１０２には、ＭＥＰ３０７を設定し、ネットワーク中継装置１０７には、ＭＥＰ３０８を設定している。さらに、ネットワーク中継装置１０３とネットワーク中継装置１０８との間の通信回線の障害状態を検出するために、ネットワーク中継装置１０３及びネットワーク中継装置１０８にＭＥＰを設定している。ネットワーク中継装置１０３には、ＭＥＰ３０９を設定し、ネットワーク中継装置１０８には、ＭＥＰ３１０を設定している。これにより、ネットワーク中継装置１０２は、直接接続されていない通信回線２０７の障害等も検出することができる。これにより、例えば、通信回線２０７に障害が発生したことをネットワーク中継装置１０２が検出した場合、無線回線２０８を用いたロードバランスを行うことができなくなる。そのため、ネットワーク中継装置１０２は、ロードバランスを行うために使用可能な帯域が減少したことを検出することができる。このような場合、ネットワーク中継装置１０２は、低優先に設定されたデータを廃棄することにより、高優先に設定されたデータの通信品質を維持することができる。
【００８９】
（付記１）通信装置から送信されたデータを、無線回線を介して接続された対向中継装置へ送信する中継装置であって、前記対向中継装置との間において送受信される制御フレームを用いて前記無線回線の無線品質の劣化を検出する劣化検出部と、前記劣化検出部において無線品質の劣化が検出された場合、前記無線回線を閉塞し通信経路を切り替える回線制御部と、を備える中継装置。
【００９０】
（付記２）前記劣化検出部は、前記制御フレームを前記対向中継装置へ送信し、所定時間内に応答制御フレームを受信したか否かに基づいて判定される接続性障害と、前記制御フレームを前記対向中継装置へ送信し、前記対向中継装置から応答される前記応答制御フレームを受信するまでの時間に基づいて判定される遅延障害と、前記制御フレームを前記対向中継装置へ一定周期の間隔で繰り返し送信し、前記対向中継装置から送信されるロス測定応答に基づいて判定されるロス超過障害とのうち少なくとも１つの障害が発生した場合に、前記無線回線の無線品質の劣化を検出する、付記１に記載の中継装置。
【００９１】
（付記３）前記通信装置から送信されたデータを、第１の有線回線を介して接続された第１の中継装置と前記対向中継装置とへ振り分けて送信する第１のスイッチ部をさらに備え、前記回線制御部は、前記劣化検出部において無線品質の劣化が検出された場合、前記無線回線を閉塞し、全てのデータを前記第１の中継装置へ送信する、付記１又は２に記載の中継装置。
【００９２】
（付記４）前記通信装置から高優先データと低優先データとが送信され、前記劣化検出部において前記遅延障害及び前記ロス超過障害のいずれか一方の障害が検出された場合、前記回線制御部は、前記高優先データを前記第１の中継装置へ送信し、前記低優先データを前記対向中継装置へ送信する、付記３に記載の中継装置。
【００９３】
（付記５）前記通信装置から送信されるデータを、第２の有線回線を介して接続された第２の中継装置から受信し、前記受信したデータを前記対向中継装置へ送信する第２のスイッチ部をさらに備え、前記回線制御部は、前記劣化検出部において無線品質の劣化が検出された場合、前記無線回線と前記第２の有線回線とを閉塞する、付記１又は２に記載の中継装置。
【００９４】
（付記６）前記通信装置から高優先データと低優先データとが送信され、前記劣化検出部において前記遅延障害及び前記ロス超過障害とのいずれか一方の障害が検出された場合、前記回線制御部は、前記高優先データを前記第２の中継装置から受信しないように制御し、前記低優先データを前記第２の中継装置から受信し、前記受信したデータを前記対向中継装置へ送信させるように制御する、付記５に記載の中継装置。
【００９５】
（付記７）前記通信装置から送信されるデータを、第３の有線回線を介して接続された第３の中継装置から受信し、前記受信したデータを第４の有線回線を介して接続された第４の中継装置と前記無線回線を介して接続された前記対向中継装置とへ振り分けて送信する第３のスイッチ部をさらに備え、前記回線制御部は、前記劣化検出部において無線品質の劣化が検出された場合、前記無線回線を閉塞し、全てのデータを前記第４の中継装置へ送信する、付記１又は２に記載の中継装置。
【００９６】
（付記８）前記第４の有線回線が閉塞されている状態において前記劣化検出部において無線品質の劣化が検出された場合、前記無線回線及び前記第３の有線回線を閉塞する付記７に記載の中継装置。
【００９７】
（付記９）前記通信装置から高優先データと低優先データとが送信され、前記劣化検出部において前記遅延障害及び前記ロス超過障害とのいずれか一方の障害が検出された場合、前記回線制御部は、前記高優先データを前記第４の中継装置へ送信し、前記低優先データを前記対向中継装置へ送信するように制御する、付記７に記載の中継装置。
【００９８】
（付記１０）通信装置から送信されるデータを無線回線を介して接続された対向中継装置へ送信するデータ中継方法であって、前記対向中継装置との間において送受信される制御フレームに基づいて前記無線回線の無線品質の劣化を検出し、前記無線品質の劣化が検出された場合、前記無線回線を閉塞し通信経路を切り替えるデータ中継方法。
【００９９】
（付記１１）第１の中継装置と、前記第１の中継装置と第１の無線回線を介して接続される第２の中継装置と、前記第１の中継装置と第１の通信回線を介して接続される第３の中継装置と、前記第３の中継装置と第２の無線回線を介して接続され、前記第２の中継装置と第２の通信回線を介して接続される第４の中継装置と、前記第１の中継装置と前記第２の中継装置との間において送受信される制御フレームを用いて前記第１の無線回線の無線品質の劣化を検出する劣化検出手段と、前記劣化検出手段において無線品質の劣化が検出された場合、前記第１の無線回線を閉塞し通信経路を切り替える回線制御部と、を備える通信システム。
【０１００】
（付記１２）記第３の中継装置と第３の通信回線を介して接続される第５の中継装置と、前記第５の中継装置と第３の無線回線を介して接続され、前記第４の中継装置と第４の通信回線を介して接続される第６の中継装置と、をさらに備える通信システムであって、前記劣化検出手段は、前記第１の無線回線の無線品質の劣化を検出するとともに前記第１の中継装置と前記第５の中継装置との間の通信経路における障害を検出する、付記１１に記載の通信システム。
【０１０１】
（付記１３）通信装置から送信されるデータを無線回線を介して接続された対向中継装置へ送信する中継装置のコンピュータに実行させるプログラムであって、前記対向中継装置との間において送受信される制御フレームに基づいて前記無線回線の無線品質の劣化を検出するステップと、前記無線品質の劣化が検出された場合、前記無線回線を閉塞し通信経路を切り替えるステップとをコンピュータに実行させる。
【０１０２】
なお、本発明は上記実施の形態に限られたものではなく、趣旨を逸脱しない範囲で適宜変更することが可能である。
【符号の説明】
【０１０３】
１０  中継装置
１１  劣化検出部
１２  回線制御部
２０  対向中継装置
３０  通信装置
１０１  レイヤ２スイッチ
１０２  ネットワーク中継装置
１０３  ネットワーク中継装置
１０４  レイヤ２スイッチ
１０５  ネットワーク中継装置
１０６  ネットワーク中継装置
１０７  ネットワーク中継装置
１０８  ネットワーク中継装置
２０１  通信回線
２０２  無線回線
２０３  通信回線
２０４  通信回線
２０４Ｈ  高優先通信回線
２０４Ｌ  低優先通信回線
２０５  無線回線
２０６  通信回線
２０６Ｈ  高優先通信回線
２０６Ｌ  低優先通信回線
２０７  通信回線
２０７Ｈ  高優先通信回線
２０７Ｌ  低優先通信回線
２０８  無線回線
２０９  通信回線
２０９Ｈ  高優先通信回線
２０９Ｌ  低優先通信回線
３０１〜３０６  ＭＥＰ
４０１  上段ポート
４０１Ｈ  高優先上段ポート
４０１Ｌ  低優先上段ポート
４０２〜４０４  ポート
４０５  下段ポート
４０５Ｈ  高優先下段ポート
４０５Ｌ  低優先下段ポート
４０６  スイッチコア
４０７  ポート監視部
４０８  リンク制御部
４０９  無線帯域監視部
４１０  イーサネットＯＡＭ機能部
４１１  無線回線ポート
５０１  ＬＯＣ検出部
５０２  遅延測定部
５０３  ロス測定部
５０４  フレーム送受信部
５０５  イーサネットＯＡＭ設定情報部
５０６  障害検出部
【図１】
2013251795.tif 000003
【図２】
2013251795.tif 000004
【図３】
2013251795.tif 000005
【図４】
2013251795.tif 000006
【図５】
2013251795.tif 000007
【図６】
2013251795.tif 000008
【図７】
2013251795.tif 000009
【図８】
2013251795.tif 000010
【図９】
2013251795.tif 000011
【図１０】
2013251795.tif 000012
【図１１】
2013251795.tif 000013
【図１２】
2013251795.tif 000014
【図１３】
2013251795.tif 000015
【図１４】
2013251795.tif 000016
【図１５】
2013251795.tif 000017
【図１６】
2013251795.tif 000018